(57)【要約】【課題】  疎通ルートに監視フレームを流すことなく、疎通停止を監視可能とし、その構成を小規模回路で実現することが可能な通信装置を提供する。【解決手段】  通信装置（１）は、自装置内の疎通停止監視対象（疎通停止監視対象部１２）に入力されるパケットをパルス信号に変換する第１の手段（入力処理部１１）と、疎通停止監視対象（疎通停止監視対象部１２）から出力されるパケットをパルス信号に変換する第２の手段（出力処理部１３）と、第１及び第２の手段（入力処理部１１及び出力処理部１３）各々のパルス信号の監視結果を基に疎通停止監視対象（疎通停止監視対象部１２）の疎通停止を監視する手段（出力処理部１３）とを有する。【選択図】      図１
2011023907.tif 000002
【特許請求の範囲】
【請求項１】
自装置内の疎通停止監視対象に入力されるパケットをパルス信号に変換する第１の手段と、前記疎通停止監視対象から出力されるパケットをパルス信号に変換する第２の手段と、前記第１及び第２の手段各々のパルス信号の監視結果を基に前記疎通停止監視対象の疎通停止を監視する手段とを有することを特徴とする通信装置。
【請求項２】
前記第１及び第２の手段各々は、前記パケットの有無に応じて前記パルス信号の論理を反転させることを特徴とする請求項１記載の通信装置。
【請求項３】
前記第１の手段は、流れているパケットを前記パルス信号として扱って入力パケット通知にて前記第２の手段に通知することでを入力パケット監視を行うことを特徴とする請求項２記載の通信装置。
【請求項４】
前記第２の手段は、流れているパケットを前記パルス信号として扱って前記疎通停止監視対象からの出力パケットの監視を行うことを特徴とする請求項２または請求項３記載の通信装置。
【請求項５】
上記の請求項１から請求項４のいずれかに記載の通信装置を含むことを特徴とするネットワーク。
【請求項６】
通信装置が、当該通信装置内の疎通停止監視対象に入力されるパケットをパルス信号に変換する第１の処理と、前記疎通停止監視対象から出力されるパケットをパルス信号に変換する第２の処理と、前記第１及び第２の処理各々のパルス信号の監視結果を基に前記疎通停止監視対象の疎通停止を監視する処理とを実行することを特徴とする疎通停止監視方法。
【請求項７】
前記第１及び第２の処理各々において、前記パケットの有無に応じて前記パルス信号の論理を反転させることを特徴とする請求項６記載の疎通停止監視方法。
【請求項８】
前記第１の処理において、流れているパケットを前記パルス信号として扱って入力パケット通知にて前記第２の処理に通知することでを入力パケット監視を行うことを特徴とする請求項７記載の疎通停止監視方法。
【請求項９】
前記第２の処理において、流れているパケットを前記パルス信号として扱って前記疎通停止監視対象からの出力パケットの監視を行うことを特徴とする請求項７または請求項８記載の疎通停止監視方法。
【発明の詳細な説明】
【技術分野】
【０００１】
本発明は通信装置及びそれに用いる疎通停止監視方法に関し、特にネットワークの疎通ルートにおける疎通停止の監視方法に関する。
【背景技術】
【０００２】
本発明に関連するネットワークにおいては、例えば、図５に示すようなネットワークにおいて、端末ａから端末ｂに通信している場合、ノード（Ｎｏｄｅ）Ａが故障すると、端末ａと端末ｂとの間が通信断となる。
【０００３】
この場合、ノードＡが装置故障を通知（表示）することができれば、当該ネットワークの保守を行うことができるが、ノードＡの部分故障が起きた場合は、故障通知を行うことができない可能性もある。
【０００４】
つまり、端末ａと端末ｂとの間で実際に通信できるかできないかは、上記のネットワークの疎通ルート（端末ａ→ノードＡ→ノードＢ→ノードＣ→端末ｂのルート）に通信データを流してチェックしない限りわからないということになる。
【０００５】
そこで、図６及び図７に示すように、ネットワーク内の装置（上記の例では、ノードＡ〜Ｃ）が監視フレームを疎通ルートにＩｎｓｅｒｔ／Ｄｒｏｐし、疎通ルートにおける疎通状態を確認する必要がある。図６は、装置間における疎通ルートへの監視フレームの送出を示し、図７は装置内における疎通ルートへの監視フレームの送出を示している。
【０００６】
上記の疎通状態を確認する技術としては、各ハブのパケット送信ポートで、伝送すべき管理情報を送信パケットの極性情報として送出するようにし、パケット受信ポートで、受信したパケットの極性情報から管理情報を検出するようにし、ネットワークにおけるハブの接続状態を認識する技術がある（特許文献１参照）。
【先行技術文献】
【特許文献】
【０００７】
【特許文献１】特開平０７−１４７５８７号公報
【発明の概要】
【発明が解決しようとする課題】
【０００８】
本発明に関連するネットワークでは、疎通停止を監視するために、疎通ルートに監視フレームを流すので、監視フレームを流入させる分の帯域を確保する必要があり、それを実現する回路が大きくなる。
【０００９】
上記の特許文献１に記載の技術では、送信パケット毎に極性を反転させて、受信側でキャリアを検出しているだけなので、上記の本発明に関連するネットワークにおける疎通停止監視の課題を解決することができない。
【００１０】
そこで、本発明の目的は上記の問題点を解消し、疎通ルートに監視フレームを流すことなく、疎通停止を監視することができ、その構成を小規模回路で実現することができる通信装置、ネットワーク及びそれらに用いる疎通停止監視方法を提供することにある。
【課題を解決するための手段】
【００１１】
本発明による通信装置は、自装置内の疎通停止監視対象に入力されるパケットをパルス信号に変換する第１の手段と、前記疎通停止監視対象から出力されるパケットをパルス信号に変換する第２の手段と、前記第１及び第２の手段各々のパルス信号の監視結果を基に前記疎通停止監視対象の疎通停止を監視する手段とを備えている。
【００１２】
本発明によるネットワークは、上記の通信装置を含むことを特徴とする。
【００１３】
本発明による疎通停止監視方法は、通信装置が、当該通信装置内の疎通停止監視対象に入力されるパケットをパルス信号に変換する第１の処理と、前記疎通停止監視対象から出力されるパケットをパルス信号に変換する第２の処理と、前記第１及び第２の処理各々のパルス信号の監視結果を基に前記疎通停止監視対象の疎通停止を監視する処理とを実行している。
【発明の効果】
【００１４】
本発明は、上記のような構成及び動作とすることで、疎通ルートに監視フレームを流すことなく、疎通停止を監視することができ、その構成を小規模回路で実現することができるという効果が得られる。
【図面の簡単な説明】
【００１５】
【図１】本発明の第１の実施の形態による通信装置の構成例を示すブロック図である。
【図２】本発明の第１の実施の形態における疎通ルートに流れるパケットをパルスとして扱う方法を示す図である。
【図３】図１の出力処理部で処理する状態遷移を示す図である。
【図４】図１の出力処理部での疎通停止の検出論理を示す図である。
【図５】本発明に関連するネットワークの通信状態を説明するための図である。
【図６】本発明に関連するネットワークにおける疎通監視の一例を示す図である。
【図７】本発明に関連するネットワークにおける疎通監視の他の例を示す図である。
【発明を実施するための形態】
【００１６】
次に、本発明の実施の形態について図面を参照して説明する。本発明によるネットワークを構成する通信装置の概略について説明する。本発明による通信装置では、ネットワークの疎通ルートに流れるパケットをパルスとして扱い、パルス監視を通信装置の入力と出力とで行うことで、監視フレームを流すことなく、疎通停止を監視することができる。
【００１７】
この場合、本発明による通信装置では、入力と出力とでパルス監視を行っているだけなので、小規模回路にて疎通停止の監視を実現することができる。
【００１８】
図１は本発明の第１の実施の形態による通信装置の構成例を示すブロック図である。図１において、通信装置１は、入力処理部１１と、疎通停止監視対象部１２と、出力処理部１３とから構成されている。尚、図中の矢印はパケット及び信号の流れを示している。
【００１９】
通信装置１では、疎通停止監視対象部１２の疎通停止を監視するために、その入力側に入力処理部１１を設け、出力側に出力処理部１３を設けている。入力処理部１１から出力処理部１３へは入力パケット通知１０１の信号を通知する。
【００２０】
図２は本発明の第１の実施の形態における疎通ルートに流れるパケットをパルスとして扱う方法を示す図である。図２において、矢印はパケットの流れを示している。
【００２１】
図３は図１の出力処理部１３で処理する状態遷移を示す図であり、図４は図１の出力処理部１３での疎通停止の検出論理を示す図である。これら図１〜図４を参照して通信装置１における疎通停止の監視方法について説明する。
【００２２】
本実施の形態では、疎通ルート（疎通停止監視対象部１２）に流れるパケットをパルス信号２０１（図２参照）として扱う。パルス信号２０１は、パケットが流れている時と流れていない時とで論理を反転させた信号とする。
【００２３】
本実施の形態では、このパルス信号２０１に対する処理を入力処理部１１及び出力処理部１３にて実施し、入力処理部１１で処理したパルス信号２０１を入力パケット通知１０１として出力処理部１３に通知する。
【００２４】
疎通停止監視対象部１２の入力パケット監視は、入力処理部１１に流れているパケットを、図２に示すように、パルス信号２０１として扱い、入力パケット通知１０１にて出力処理部１３へ通知し、入力パケット通知１０１を出力処理部１３にて監視する。
【００２５】
疎通停止監視対象部１２からの出力パケット監視は、出力処理部１３に流れているパケットを、図２に示すように、パルス信号２０１として扱い、出力処理部１３で監視する。
【００２６】
出力処理部１３での入力パケット監視及び出力パケット監視は、図３に示す状態遷移に従って処理する。図３において、パケット未受信状態２１はパケットを受信していない状態、パケット受信状態２２はパケットを受信している状態を示す。
【００２７】
パケット未受信状態２１の状態で、パルス信号２０１が一定の値から変化せず、パルス反転検出がない場合はパケット未受信状態２１を維持し、パルス信号２０１の値が反転した場合はパケット受信状態２２に状態遷移する。
【００２８】
パケット受信状態２２の状態で、パルス信号２０１の値が反転した場合はパケット受信状態２２を維持し、一定時間の間、パルス信号２０１が一定の値から反転しない場合はパケット未受信状態２１に状態遷移する。
【００２９】
出力処理部１３では、この状態遷移の処理を入力パケット通知１０１と出力処理部１３に流れているパケットのパルス信号２０１との２つに対して実施し、入力パケット通知１０１に対しての処理が入力パケット監視、出力処理部１３に流れているパケットのパルス信号２０１に対しての処理が出力パケット監視を意味する。
【００３０】
出力パケット監視にて、パケット未受信状態２１の場合の入力パケット監視の状態で、疎通停止を判断する。図４の状態＃１のように、入力パケット監視が未受信状態の場合は、疎通停止監視対象部１２への入力パケットがないと判断し、この場合は疎通停止とはみなさない。
【００３１】
図４の状態＃２のように、出力パケット監視にてパケット未受信状態でかつ入力パケット監視にてパケット受信状態の場合は、疎通停止監視対象部１２で疎通が停止したと判断する。
【００３２】
入力処理部１１から出力処理部１３への入力パケット通知１０１（パルス）の到達時刻と、疎通停止監視対象部１２から出力処理部１３へのパケットの到達時刻とのずれが生じる場合について述べる。
【００３３】
この場合、予め時間差を見越した監視時間差Ｔを設定し、出力処理部１３は入力パケット通知１０１の到達時刻より監視時間差Ｔまでの間に疎通停止監視対象部１２からパケットが到達しなければ疎通停止とみなす。
【００３４】
監視時間差Ｔは、疎通停止監視対象部１２でのパケット処理時間の予測値を設定することも可能であり、また統計的な手法により疎通停止監視対象部１２でのパケット処理時間を計測し、時間単位で変更することも可能である。
【００３５】
出力処理部１３は、入力側でパケットを検出した（ｏｎ）場合、出力側がパケットを検出する（ｏｎ）と、「パケットあり（正常）」と判定する。また、出力処理部１３は、入力側でパケットを検出した（ｏｎ）場合、出力側パケットを検出しなければ（ｏｆｆ）、「パケットなし（疎通停止）」と判定する。
【００３６】
これを基にパケット受信状態監視を状態遷移図にしたものを図３に示し、疎通停止の判断条件を図４に示す。総合的に、本発明の原理は、「入力パケット：ｏｎ」、「出力パケット：ｏｎ」であれば、「監視結果：正常」と判定し、「入力パケット：ｏｎ」、「出力パケット：ｏｆｆ」であれば、「監視結果：疎通停止」と判定し、「入力パケット：ｏｆｆ」、「出力パケット：ｏｎ」であれば、「監視結果：入力パケット通知情報障害等」と判定し、「入力パケット：ｏｆｆ」、「出力パケット：ｏｆｆ」であれば、「監視結果：正常」と判定する。
【００３７】
このように、本実施の形態では、入力処理部１１に流れているパケットを図２のパルス信号２０１として扱って入力パケット通知１０１にて出力処理部１３に通知して出力処理部１３にて疎通停止監視対象部１２への入力パケット監視を行い、出力処理部１３に流れているパケットを図２のパルス信号２０１として扱って出力処理部１３にて疎通停止監視対象部１２からの出力パケットの監視を行うことで、疎通ルートに監視フレームを流すことなく、疎通停止を監視することができ、その監視のための構成を小規模回路で実現することができる。
【００３８】
本発明は、上述した通信装置１の疎通停止監視対象部１２の構成にとらわれず、疎通停止監視対象部１２の疎通停止監視を行うことが可能であり、パルス信号２０１の正論理、負論理にとらわれることなく、疎通停止監視を行うことが可能である。
【符号の説明】
【００３９】
１  通信装置
１１  入力処理部
１２  疎通停止監視対象部
１３  出力処理部
２１  パケット未受信状態
２２  パケット受信状態
１０１  入力パケット通知
２０１  パルス信号
【図１】
2011023907.tif 000003
【図２】
2011023907.tif 000004
【図３】
2011023907.tif 000005
【図４】
2011023907.tif 000006
【図５】
2011023907.tif 000007
【図６】
2011023907.tif 000008
【図７】
2011023907.tif 000009